(57)【要約】      （修正有）【課題】清掃面の長期間の清浄性および光沢を維持することができるウェットティッシュを提供する。【解決手段】ウェットティッシュ１１は、ウェットシート基材１２にダイヤモンド微粒子１３を浸み込ませている。詳しくは、ダイヤモンド微粒子１３は、ウェットシート基材１２を構成する各繊維１４の表面に適度に付着するようにして取り付けられ、ダイヤモンド微粒子１３がウェットシート基材１２を構成する各繊維１４間に介在している状態である。したがって、ウェットティッシュ１１で清掃するための面を拭き取った際に、清掃面の長期間の清浄性および光沢を維持することができる。【選択図】図２
0003180952.tif 000002
【実用新案登録請求の範囲】
【請求項１】
ウェットシート基材にダイヤモンド微粒子を含有させた、ウェットティッシュ。
【請求項２】
前記ダイヤモンド微粒子の粒径は、１００μｍ以下である、請求項１に記載のウェットティッシュ。
【請求項３】
前記ウェットシート基材は、不織布、布、綿、化学繊維、紙、皮、人工皮革、およびスポンジのうちの少なくともいずれか一つである、請求項１または２に記載のウェットティッシュ。
【請求項４】
前記ダイヤモンド微粒子の粒径は、０．５μｍ以下である、請求項１〜３のいずれかに記載のウェットティッシュ。
【考案の詳細な説明】
【技術分野】
【０００１】
この考案は、ウェットティッシュに関するものである。
【背景技術】
【０００２】
清掃や汚れ落とし、除菌を行う際には、手軽で利便性の良いウェットティッシュが用いられる。ウェットティッシュは、使用時における湿潤状態を維持するため、密封性の高い包装体に入れて取り扱われる。
【０００３】
ここで、ウェットティッシュに関する技術が、例えば、特開２００４−１６７３０号公報（特許文献１）に開示されている。
【先行技術文献】
【特許文献】
【０００４】
【特許文献１】特開２００４−１６７３０号公報
【考案の概要】
【考案が解決しようとする課題】
【０００５】
特許文献１に代表される従来のウェットティッシュによると、一時的な物体の表面の清掃や汚れの除去はできる。しかし、清掃した面や領域の清浄性を長期間維持するには、不十分な場合がある。また、清掃面において、長期間に亘る光沢が求められる場合もある。
【０００６】
この考案は、清掃面の長期間の清浄性および光沢を維持することができるウェットティッシュを提供することを目的とする。
【課題を解決するための手段】
【０００７】
この考案に係るウェットティッシュは、ウェットシート基材にダイヤモンド微粒子を含有させている。
【０００８】
このような構成のウェットティッシュは、ダイヤモンド微粒子がウェットシート基材に浸み込んでいるため、ウェットティッシュで清掃するための面を拭き取った際に、清掃面の長期間の清浄性および光沢を維持することができる。
【０００９】
好ましくは、ダイヤモンド微粒子の粒径は、１００μｍ以下である。
【００１０】
また、ウェットシート基材は、不織布、布、綿、化学繊維、紙、皮、人工皮革、およびスポンジのうちの少なくともいずれか一つであるよう構成してもよい。
【００１１】
さらに好ましくは、ダイヤモンド微粒子の粒径は、０．５μｍ以下である。
【考案の効果】
【００１２】
このような構成のウェットティッシュによると、ダイヤモンド微粒子がウェットシート基材に含有されているため、ウェットティッシュで清掃するための面を拭き取った際に、清掃面の長期間の清浄性および光沢を維持することができる。
【図面の簡単な説明】
【００１３】
【図１】この考案の一実施形態に係るウェットティッシュの外観を示す図である。
【図２】図１に示すウェットティッシュの細部を示す模式図である。
【図３】図１に示すウェットティッシュの一つの製造工程の一部を示す概略図である。
【図４】図１に示すウェットティッシュの他の製造工程の一部を示す概略図である。
【考案を実施するための形態】
【００１４】
以下、この考案の実施の形態を、図面を参照して説明する。図１は、この考案の一実施形態に係るウェットティッシュの外観を示す図である。図２は、図１に示すウェットティッシュの細部を示す模式図である。すなわち、図２は、図１に示すウェットティッシュの一部を拡大して模式的に表したものである。
【００１５】
図１および図２を参照して、この考案の一実施形態に係るウェットティッシュ１１は、ウェットシート基材１２と、無数のダイヤモンド微粒子１３とを含む。ウェットシート基材１２としては、不織布や織布、抄紙等の紙などから選択されるが、不織布を採用することが好適である。ウェットシート基材１２は、ある程度の湿潤状態を維持することができる。ダイヤモンド微粒子１３については、その粒径が０〜１００μｍの範囲内、具体的には、０〜０．５μｍ程度のものが好適に用いられる。また、ダイヤモンド微粒子１３の粒度としては、１５０００グリッド程度のものが用いられる。ダイヤモンド微粒子１３としては、ダイヤモンドサスペンションを含む構成としてもよい。なお、粒径の測定としては、ダイヤモンド微粒子の粒径を測定する際に汎用されている方法が採用される。
【００１６】
ウェットティッシュ１１は、ウェットシート基材１２にダイヤモンド微粒子１３を含有させたものである。この場合、ウェットティッシュ１１は、ウェットシート基材１２にダイヤモンド微粒子１３を浸み込ませたものである。具体的には、ダイヤモンド微粒子１３は、ウェットシート基材１２を構成する各繊維１４の表面に適度に付着するようにして取り付けられ、ダイヤモンド微粒子１３がウェットシート基材１２を構成する各繊維１４間に介在している状態である。すなわち、ウェットティッシュ１１は、ウェットシート基材１２にダイヤモンド微粒子１３を含浸させた構造である。そして、このようなウェットティッシュ１１が複数枚積み重ねられて、湿潤状態を維持できるよう包装可能な包装体に包装されて取り扱われる。
【００１７】
次に、このような構成である本考案の一実施形態に係るウェットティッシュ１１の製造方法の一例について説明する。図３は、図１に示すウェットティッシュの一つの製造工程の一部を示す概略図である。図３を参照して、まず、不織布等から構成されるウェットシート基材１２を準備し、ベース１５の上に載置する。また、ダイヤモンド微粒子１３を分散させた分散液１６を準備する。ここで、ダイヤモンド微粒子１３を分散させる液については、ダイヤモンド微粒子１３の粒径や状態等により、任意のものが選択される。また、ダイヤモンド微粒子１３の分散液１６中の濃度については、求められるウェットティッシュ１１の機能に応じて、任意に定められる。この分散液１６を、吹き付け治具１７にセットする。
【００１８】
吹き付け治具１７については、分散液１６を貯留する貯留部１８と、貯留部１８の下部から延びて、その内部を分散液１６の流路として分散液１６が流れることが可能な所定の長さの管部１９と、管部１９の先端から分散液１６を霧状または液状にして吹き付け可能な吹き付け部２０とを含む構成である。吹き付け部２０のうち、分散液１６を吹き付ける吹き付け口については、やや開口が狭くなった形状である。
【００１９】
そして、貯留部１８に貯留された分散液１６は、必要に応じて管部１９に送り込まれる。そして管部１９の内部を通って吹き付け部２０に達すると、ベース１５上に載置されたウェットシート基材１２の表面に対して、図３中の矢印Ａ１で示す方向に吹き付け部２０によって霧状または液状に吹き付けられる。この吹き付け量については、任意に定められるものである。すなわち、ウェットティッシュ１１に要求される機能を発揮するために必要とされるダイヤモンド微粒子１３の量を浸み込ませるように、分散液１６が霧状または液状に吹き付けられる。このようにして、上記した構成のこの考案の一実施形態に係るウェットティッシュ１１が製造される。
【００２０】
このような構成のウェットティッシュ１１によると、ダイヤモンド微粒子１３がウェットシート基材１２に浸み込んでいる。したがって、ウェットティッシュ１１で清掃するための面を拭き取った際に、清掃面の長期間の清浄性および光沢を維持することができる。
【００２１】
なお、長期間効能を有する除菌剤を併せて用いれば、すなわち、除菌剤をウェットシート基材１２に併せて浸み込ませていれば、長期間の除菌効果も期待できる。なお、ダイヤモンド微粒子による研磨による磨き効果が期待でき、また、鏡やガラス等のみならず、除菌性が求められるコンピュータのキーボードや電話の受話器等を拭く際に有効に利用される。
【００２２】
なお、図４に示すように、分散液１６を貯留した貯留容器２１を準備し、図４中の矢印Ａ２で示すように、この貯留容器２１にウェットシート基材１２を漬けて、ウェットシート基材１２にダイヤモンド微粒子１３を浸み込ませ、本願考案に係るウェットティッシュを製造することとしてもよい。すなわち、浸漬によりダイヤモンド微粒子１３をウェットシート基材に浸み込ませることとしてもよい。図４は、図１に示すウェットティッシュ１１の他の製造工程の一部を示す概略図である。
【００２３】
なお、上記の実施の形態においては、ダイヤモンド微粒子１３をウェットシート基材１２に浸み込ませる際に、吹き付けや浸漬を行うこととしたが、これに限らず、他の方法を採用することとしてもよい。例えば、ダイヤモンド微粒子そのものや、ダイヤモンド微粒子を分散させた液体をパラパラとふりかけるようにして含有させるようにしてもよい。また、ダイヤモンドペーストやダイヤモンドサスペンションもふりかけるようにして含有させるようにしてもよい。
【００２４】
また、上記の実施の形態においては、ウェットシート基材として不織布を用いることとしたが、これに限らず、布、綿、化学繊維、紙、皮、人工皮革、およびスポンジのうちの少なくともいずれか一つを用いることとしてもよい。ここで、スポンジとしては、例えば、ＥＶＡ（Ｅｔｈｙｌｅｎｅ  Ｖｉｎｙｌ  Ａｃｅｔａｔｅ）製スポンジが用いられ、例えば、セーム皮といった皮を用いる場合、その表面にダイヤモンド微粒子を塗布やコーティングにより保持させて含有させるようにしてもよい。
【００２５】
以上、図面を参照してこの考案の実施形態を説明したが、この考案は、図示した実施形態のものに限定されない。図示した実施形態に対して、この考案と同一の範囲内において、あるいは均等の範囲内において、種々の修正や変形を加えることが可能である。
【産業上の利用可能性】
【００２６】
この考案は、鏡やガラスを清浄する際に、有効に利用される。
【符号の説明】
【００２７】
１１  ウェットティッシュ、１２  ウェットシート基材、１３  ダイヤモンド微粒子、１４  繊維、１５  ベース、１６  分散液、１７  吹き付け治具、１８  貯留部、１９  管部、２０  吹き付け部、２１  貯留容器。
【図１】
0003180952.tif 000003
【図２】
0003180952.tif 000004
【図３】
0003180952.tif 000005
【図４】
0003180952.tif 000006